(57)【要約】      （修正有）【課題】商品が収納された包装箱等を横から掛けることができるよう、側面にフック部を容易に形成することができる箱の提供。【解決手段】商品を収納する箱１等において、１つの側面２ａ、もしくは連接する２つの側面２ａ、２ｂ又は２ａ，２ｃに連続して、コの字形状に切り離し可能な線を施し、コの字の開口側を該側面に連接して、使用者の指等によりフック部３を切り離し、切り離される側の先端部付近に上下方向に形成された爪片部４が、切り離された該側面の箱内側に侵入することにより、フック部の切り離された側が該側面２ａより抜けて離れることを防ぎ、引っ掛ける相手１５の横側に接する箱の側面に、上から見ると略三角柱の形状となる方向にフック部３を形成し、該フック部の横幅中央付近に下方向に引っ掛け部６を形成することにより、引っ掛ける相手に、該箱が横から引っ掛かる。【選択図】図１
2009208828.tif 000002
【特許請求の範囲】
【請求項１】
薄板から形成された容器において、該容器の１つの側面（２ａ）、もしくは連接する２つの側面（２ａと２ｂ又は、２ａと２ｃ）に連続して、コの字形状に切り離し可能な線（７）を、コの字の開口側を該側面（２ａ）に連接して施し、切り離される側の先端付近に形成された爪片部（４）が、切り離された該側面（２ａ）の容器内側に侵入することにより、フック部（３）の切り離された側が該側面（２ａ）より抜けて離れることを防ぎ、引っ掛ける相手（１５）の横側に接する容器の側面（２ａ）に、上から見ると略三角柱の形状となる方向にフック部（３）を形成し、該フック部（３）の横幅中央付近に下方向に引っ掛け部（６）を形成することを特徴とする横から引っ掛かるフック部を有する容器。
【請求項２】
薄板から形成された容器において、該容器の１つの側面（２ａ）、もしくは連接する２つの側面（２ａと２ｂ又は、２ａと２ｃ）の、離れた２箇所に、コの字形状に切り離し可能な線（７）を、コの字の開口側を該側面（２ａ、又は２ａと２ｂ又は、２ａと２ｃ）に連接して施し、切り離し突出させた両方の片を、両片の先端部付近で係止して、引っ掛ける相手（１５）の横側に接する容器の側面（２ａ）に、上から見ると略三角柱の形状となる方向にフック部（３）を形成し、該フック部（３）の先端連結部付近に下方向に引っ掛け部（６）を形成することを特徴とする横から引っ掛かるフック部を有する容器。
【発明の詳細な説明】
【技術分野】
【０００１】
この発明は、薄板から形成された容器に関するものであって、容器の素材に関しては、フック部を切り離し可能な線、例えば、ミシン目、ハーフカット、切れ目等を施すことが可能な薄さの素材であれば、どのようなものでもよく、容器の形状は四角柱状、四角錐状、三角柱状、三角錐状、円柱状、円錐状等、どのような形状にも対応できる。また、本機能を有する容器（以下、箱と表記する）は、商品を収納された包装箱においても、商品を使用する際、家庭内や店舗内等の壁面上部や棒状、紐状の形態をした箇所に、箱を横から掛けることができるよう、箱の側面に切り離し可能な線を施し、使用者の手により、容易にフック部を形成することができる。以下、本発明を明確に説明するため、前記、四角柱状の形状をした、商品を収納した包装箱を例とし、記述する。
【背景技術】
【０００２】
前記、商品を収納した包装箱は、通常、床や机、棚等の上に置かれて使用されている。また、使用者の利便性を高めるため、包装箱の上部に貫通孔を設けて、室内の壁面からのフックに吊り下げたり（特許文献１参照）、紐などで吊り下げる方法が採られている。また、扁平商品の場合、その包装箱の１つの側面にミシン目を施し、立て支持部を設けて傾斜起立させる（特許文献２参照）などの方法も採られている。
【０００３】
ところが、商品を収納した包装箱は家庭内や店舗内等において、様々な場所で活用されており、貫通孔にフックや紐で吊り下げる方法では、引っ掛ける場所が限定され、使用者にとって使用し易い位置に箱を移動することも容易ではない。また、傾斜起立させる立て支持部を設けた箱においても商品の展示等には効果的であるが、基本的には平らな床や棚に設置することになる。また、前記貫通孔を有する包装用箱では、従来、箱を形成するのに最少限必要な６つの面や糊付け等に必要なフラップ以外に貫通孔を形成するための片を設けており、形態が複雑化しているのと同時に、箱を組み立てる際に本来の箱を組み立てる以外の工程を必要としている。
【特許文献１】特開2007-161268号公報
【特許文献２】実用新案登録第3134345号公報
【発明の開示】
【発明が解決しようとする課題】
【０００４】
本発明は、商品を収納した包装箱等を、家庭内や店舗内等のあらゆる場所において、使用者にとって利便性の高い場所に、横から引っ掛けて設置しようとするものであり、また、その製造方法も至って簡易であって、部品点数を増加することもなく、箱を組み立てる際も、余分な工程を必要とせず、資源の無駄もなく、安価に製造できる箱を提供することを目的とする。
【課題を解決するための手段】
【０００５】
かかる目的を達成するために、本発明は、商品を収納する包装箱（１）等において、該箱の１つの側面（２ａ）、もしくは連接する２つの側面（２ａと２ｂ又は、２ａと２ｃ）に連続して、コの字形状に切り離し可能な線（７）であるミシン目、ハーフカット、切れ目を施し、切り離される側の先端部付近に爪片部（４）を、下方向もしくは、上下両方向にミシン目等を施して形成し、使用時に使用者の指等によって、ミシン目等を切り離し、コの字の開口側を該側面（２ａ）に連接して折り出し、突出させる。
【０００６】
該フック部（３）を形成する場所は、包装箱（１）を引っ掛ける相手（１５）の横側に接する側面（２ａ）であって、上から見ると略三角柱の形状となる方向にフック部（３）を形成する。
【０００７】
また、該爪片部（４）が、切り離した該側面（２ａ）の箱内側に侵入することにより、フック部（３）の切り離された側が該側面（２ａ）より抜けて離れることを防ぎ、また、下方向の爪片部（４）は、箱を引っ掛ける相手（１５）である壁面上部等に引っ掛けた際、該側面（２ａ）の内側に接触することにより保持力を持つことができる。
【０００８】
また、前記フック部（３）において、引っ掛ける相手（１５）の壁面上部や棒状、紐状の形態の物に確実に引っ掛かるように、突出したフック部（３）の横幅中央付近に下方向に引っ掛け部（６）を切り離し可能な線（７）であるミシン目、ハーフカット、切れ目を施すことにより形成する。この引っ掛け部（６）は略三角柱の１つの角に位置するため、角を有する連接した２面で支えることになり、強度を増す。
【０００９】
上記のように、本機能を有する箱を、部品点数を増加することなく、また、ミシン目等の加工を施すだけで、箱の組み立て時には、本機能の為の余分な工程を要することもない。
【００１０】
また、箱の１つの側面（２ａ）、もしくは図８に示すように、連接する２つの側面（２ａと２ｂ又は、２ａと２ｃ）の離れた２箇所に、コの字形状に切り離し可能な線（７）であるミシン目、ハーフカット、切れ目を施してフック部（３）を形成する場合において、両方の片を両片の先端部付近で係止する例として、一方の片（１１ｂ）の先端部付近に上半分の縦切り込み（１２）を、他方の片（１１ａ）の先端部付近に下半分の縦切り込み（１２）を施し、両片の各切り込みに相互に差し込むことにより、上から見ると略三角柱の形状に係止することができる。
【００１１】
或いは、一方の片（１１ｂ）の先端部付近には引っ掛け片（１３）を、他方の片（１１ａ）の先端部付近には、前記引っ掛け片（１３）を差し込んで引っ掛けるスリット（１４）を設けて、両片（１１ａ・１１ｂ）を係止することもできる。
本発明は、以上の構成によりなる横から引っ掛かるフック部を有する容器である。
【発明の効果】
【００１２】
前記のように、本発明が対応可能な上部幅を持つ引っ掛ける相手であれば、どのような物でも横からフックすることが可能になり、例えば、家具やベッドの上部や机の引出し、窓枠、台所や洗面所に設置されている棚の前面や鏡の上部、冷蔵庫内の棚、下駄箱の棚、タオル掛け棒、籠の側面、マガジンラックの側面、洗濯紐、車の前部座席の背面に設けられたポケット、運搬用ワゴンの側面、店舗内の展示棚の前面、格子に組まれたディスプレー面など、商品を収納した包装箱を設置できる場所は飛躍的に増え、これまでの床や棚、卓上に置く、或いは壁に設けられた既設のフックに引っ掛ける以外にも、多様な場所に設置でき、使用者の生活スタイルに合わせて商品を収納した包装箱の有効利用が可能となる。
【００１３】
また、本構造は、現状の箱の型紙を切り抜く際、フック部等を形取ったミシン目等を施すだけでよく、余分な片や面積を必要としない。
【００１４】
更には、箱を組み立てる際も、工場ラインの変更などは一切必要とせず、現状の箱を組み立てる工程をそのまま利用できる。
【００１５】
また、使用者においても、ミシン目等を押し破り、フック部を摘み出すだけであるので、本フック部を形成するための面倒はほとんど感じない。
【００１６】
よって、本発明を利用すれば、ほとんど製造コストを上げることなく、使用者にとって利便性の高い箱を提供することが可能となる。
【発明を実施するための最良の形態】
【００１７】
以下、本発明を実施するための最良の形態について図を参照に説明する。
図１は、包装箱（１）の１つの側面（２ａ）に２つのフック部（３）を形成し、引っ掛ける相手（１５）にフックしている状態の例を示している。
【実施例１】
【００１８】
図２は、１つの側面（２ａ）にミシン目等の切り離し可能な線（７）を施して、フック部（３）を形成する前の状態と、フック部をミシン目等に沿って切り取り、形成し、フック部の先端部付近に形成された爪片部（４）が箱内側に侵入してフック部（３）を形成している状態を示している。上から見ると略三角柱の形をしており、箱を引っ掛けた際、フック部の片に対して縦方向に箱の重力を受けることができるため、強い保持力を持つことができる。また、このフック部は頂点を挟んで２つの面から構成されており、三角形の構造の特徴によりフック部が上下左右に曲がりにくく、安定してフックする。更には、フック部の横幅中央付近に下方向に突出して形成された引っ掛け部（６）もフック部の頂点を挟んで２つの面で構成されており、その中心に角を持つことにより、引っ掛け部としての強度を増す構造となっている。
【実施例２】
【００１９】
図３は、図２にて説明した１つの側面（２ａ）に２つのフック部（３）を形成した例であるが、左右の２つのフック部の間に柱部（１０）となる間隔を設けた例である。図２の構造に比べて、フック部（３）に縦方向に掛かる箱の重力を箱の側面（２ａ）が支える際、該柱部（１０）を残すことにより、ミシン目を切り離した際に側面（２ａ）に形成される孔の横幅を短くでき、該孔の開き幅を減少することができ、保持力が増す。
【実施例３】
【００２０】
図４は、連接する２つの側面（２ａと２ｂ又は、２ａと２ｃ）に連続して施したミシン目等の切り離し可能な線（７）を切り離してフック部（３）を形成する例である。この場合のメリットとして、使用者が切り離し可能な線（７）を押し破る際、箱の横から押し込むことができるため、容易にフック部（３）を形成できる。また、引っ掛け部（６）を含むフック部の頂点は、おのずと該箱（１）の角が突出するため、使用者が折り目に沿って頂点を折り上げる必要もない。
【００２１】
図５は、１つの側面より、２つのフック部を形成する際の切り離し可能な線（７）と、フック部横幅中央付近と引っ掛け部（６）にかかる折り線（８ｂ）を施す例である。箱内側に侵入する下方向に形成された爪片部（４）は、フック部（３）が切り除かれた後にできる溝に沿って移動するが、横幅中央付近に設けられた引っ掛け部（６）が切り取られた後の溝に達した際も抜けて離れないようにするため、前記引っ掛け部（６）の縦幅より下方向に長く形成されている。
【００２２】
図６は、図５と同じ構造を有するフック部（３）の例であるが、引っ掛ける相手（１５）の上部幅に対応するため、引っ掛け部（６）を複数段に形成した例である。この場合、１つの引っ掛け部（６）で、様々な上部幅の引っ掛ける相手にもフック部（３）がより確実にフックする。
【００２３】
図７は、連接する２つの側面（２ａと２ｂ又は、２ａと２ｃ）から、フック部（３）を形成する場合においての切り離し可能な線（７）を施す例である。この場合、引っ掛け部（６）の頂点は、該箱の角とするのが、最も効果的である。
【００２４】
フック部（３）と側面（２ａ）との連接部（９）に関して、縦方向に折り目（８ａ）（図５参照）を施す場合は、側面（２ａ）のミシン目等を切り離す際、フック部（３）を形成することが容易になる。また、該縦折り目を施さない場合は、本連接部（９）は、反り曲げられた面に反発する力を持つため、フック部（３）が側面（２ａ）の平行方向に広がって伸びようとする力が働き、箱を引っ掛ける相手（１５）の上部幅に合わせて、引っ掛け部（６）が側面（２ａ）の方向に戻ろうとするため、より密着してフックする。
【００２５】
また、箱内側に侵入する爪片部を設けたフック部先端部（５）に縦方向に折り目線（８ｃ）（図５参照）を施した場合においては、箱内に収納した商品が、側面（２ａ）の内面にほぼ接触して内装されている場合には、爪片部を設けたフック部先端部（５）が商品と側面（２ａ）の内面との間で平行して移動することができる。また、柔軟性のある商品など、側面（２ａ）の内面と商品の間に余裕がある場合においては、この折り目（８ｃ）は施さずに形成すれば、箱内側にて爪片部を設けたフック部先端部（５）が側面（２ａ）に対して角度を持ってフックするため、強い保持力を持つことができる。
【００２６】
図８は、請求項２に記載の形態を示す例であって、本図では、連接する２つの側面（２ａと２ｂ又は、２ａと２ｃ）の離れた２箇所よりフック部を構成する２つの片（１１ａ・１１ｂ）を切り出し、両片の先端部付近で係止して、上から見ると略三角柱の形状となるフック部を形成している。
【００２７】
図９は、離れた２箇所から２つの片（１１ａ・１１ｂ）を切り出したフック部の場合の連結方法の例である。一方の片（１１ｂ）の先端部付近に上半分の縦切り込み（１２）を、他方の片（１１ａ）の先端部付近に下半分の縦切り込み（１２）を施すことによって、両片の各切り込みに相互に差し込むことにより係止している例を示している。
【００２８】
図１０は、一方の片（１１ｂ）の先端付近には引っ掛け片（１３）を、他方の片（１１ａ）の先端付近には、前記引っ掛け片（１３）を差し込んで引っ掛けるスリット（１４）を設けて、両片を係止している例を示している。
【図面の簡単な説明】
【００２９】
【図１】本発明の箱が引っ掛ける相手にフックしている状態の例を示す説明図である。
【図２】１つの側面から２つのフック部を形成した状態を示す斜視図である。
【図３】１つの側面から形成された２つのフック部の間の柱部を示す斜視図である。
【図４】連接する２つの側面からフック部を形成した状態の例を示す斜視図である。
【図５】１つの側面から２つのフック部を形成する切り離し可能な線の例を示す説明図である。
【図６】１つの側面から２つのフック部を形成する切り離し可能な線の例において、引っ掛ける相手の幅に対応するため引っ掛け部が複数段構造となっていることを示す説明図である。
【図７】連接する２つの側面からフック部を形成する切り離し可能な線の例を示す説明図である。
【図８】２つの側面の離れた２箇所から２つの片を切り出し、両片の先端部付近で係止して略三角柱のフック部を形成している状態を示す説明図である。
【図９】２つの片を先端部付近で係止する方法を示す説明図である。
【図１０】２つの片を先端部付近で係止する別の例を示す説明図である。
【符号の説明】
【００３０】
１    包装箱
２ａ  フック部が突出する側の側面
２ｂ  フック部が突出する側面の横側に連接した側面
２ｃ  フック部が突出する側面の横側に連接した、他方の側面
３    フック部
４    爪片部
５    爪片部を設けたフック部先端部
６    引っ掛け部
７    切り離し可能な線（ミシン目、ハーフカット、切れ目）
８ａ  折り目（フック部と側面との連接部に施された折り目）
８ｂ  折り目（フック部横幅中央付近と引っ掛け部に施された折り目）
８ｃ  折り目（爪片部を設けたフック部先端部に施された折り目）
９    フック部と側面との連接部
１０    柱部
１１ａ  離れた２箇所から切り出されたフック部を形成する片
１１ｂ  離れた２箇所から切り出されたフック部を形成する、他方の片
１２    縦切り込み
１３    離れた２箇所から切り出されたフック部片を係止する引っ掛け片
１４    離れた２箇所から切り出されたフック部片を係止するスリット
１５    箱を引っ掛ける相手
【図１】
2009208828.tif 000003
【図２】
2009208828.tif 000004
【図３】
2009208828.tif 000005
【図４】
2009208828.tif 000006
【図５】
2009208828.tif 000007
【図６】
2009208828.tif 000008
【図７】
2009208828.tif 000009
【図８】
2009208828.tif 000010
【図９】
2009208828.tif 000011
【図１０】
2009208828.tif 000012